(57)【要約】【課題】処置具案内部を挿入機器の挿入部に沿って回動方向を一意に規定して配置できることにより、処置具操作部の操作性が向上された処置具挿通具を提供する。【解決手段】処置具３１を、処置具挿通口１０ｂに導くチューブ２１と、挿入部２に沿って設けられるとともに、チューブ２１の一端２１ａに設けられた処置具保持部２２と、処置具保持部２２に対して延在方向Ｅに沿って移動自在に設けられた処置具操作部２３と、処置具挿通口１０ｂの中心に対して非点対称な平面形状を有する処置具挿通口金の端面の形状に対して、外周が対応する孔が形成されるとともに、孔が処置具挿通口金に係脱自在な、チューブ２１の他端２１ｂに設けられた装着口金２４と、を具備する。【選択図】図１
2017189458.tif 000002
【特許請求の範囲】
【請求項１】
被検体内に挿入される挿入機器の挿入部に沿って設けられ、前記挿入機器に設けられる処置具挿通口金の処置具挿通口から、前記挿入部を介して前記被検体内に挿入させる処置具挿通具であって、
前記処置具を、前記処置具挿通口に導く処置具案内部と、
前記挿入部に取り付けられるとともに、前記処置具案内部の一端に設けられた、前記処置具を保持する処置具保持部と、
前記処置具保持部に対して前記挿入部の延在方向に沿って移動自在に設けられた処置具操作部と、
前記処置具挿通口の中心に対して非点対称な平面形状を有する前記処置具挿通口金の端面の形状に対して、外周が対応する形状の孔が形成されるとともに、前記孔が前記処置具挿通口金に係脱自在な、前記処置具案内部の他端に設けられる装着部と、
を具備することを特徴とする処置具挿通具。
【請求項２】
前記処置具保持部は、前記挿入部が前記被検体内に挿入された際、前記挿入部の前記被検体外に位置する部位に取り付けられることを特徴とする請求項１に記載の処置具挿通具。
【請求項３】
前記処置具操作部は、一部が前記処置具保持部内において移動自在に設けられていることを特徴とする請求項１に記載の処置具挿通具。
【請求項４】
前記処置具挿通口金の前記端面の外周に、前記処置具挿通口金の径方向の外側に突出する凸部が設けられており、
前記装着部の前記孔は、前記処置具挿通口金の前記凸部に前記外周が対応した形状を有していることを特徴とする請求項１に記載の処置具挿通具。
【請求項５】
前記処置具挿通口金の前記端面の外周に、前記処置具挿通口金の径方向の内側に陥没する凹部が設けられており、
前記装着部の前記孔は、前記処置具挿通口金の前記凹部に前記外周が対応した形状を有していることを特徴とする請求項１に記載の処置具挿通具。
【請求項６】
前記処置具挿通口金の前記端面の外周は、非円弧形状を１箇所のみ有する第１の部分と、円弧形状を有する第２の部分とを有し、
前記装着部の前記孔の前記外周は、前記第１の部分及び前記第２の部分に対応した形状を有していることを特徴とする請求項１に記載の処置具挿通具。
【請求項７】
前記処置具挿通口金に着脱自在であるとともに、前記処置具挿通口金とは反対側の端面に、該端面の中心に対して非点対称な平面形状を有する前記装着部の前記孔に外周が対応した形状の他の処置具挿通口金を有するアダプタを有し、
前記装着部の前記孔は、さらに前記他の処置具挿通口金に係脱自在であることを特徴とする請求項１に記載の処置具挿通具。
【請求項８】
前記処置具案内部を前記挿入部に沿って前記処置具保持部から延出するよう前記挿入部に取り付ける接続部をさらに具備することを特徴とする請求項１に記載の処置具挿通具。
【発明の詳細な説明】
【技術分野】
【０００１】
本発明は、被検体内に挿入される挿入機器の挿入部に取り付けられ、処置具を挿入機器の処置具挿通口から挿入部を介して被検体内に挿入させる処置具挿通具に関する。
【背景技術】
【０００２】
近年、被検体内に挿入される挿入機器、例えば内視鏡は、医療分野において広く利用されている。
【０００３】
医療分野において用いられる内視鏡は、細長い挿入部を被検体となる体腔内に挿入することによって、体腔内の臓器を観察したり、必要に応じて内視鏡が具備する処置具挿通路に挿入した処置具を用いて体腔内の臓器の対象部位（以下、処置対象部位と称す）に対して各種処置をしたりすることができる。
【０００４】
尚、体腔内の観察を行う際は、術者は、内視鏡画像を観察しながら、例えば右手で内視鏡の挿入部を把持して挿入部の各種操作を行うとともに、左手で内視鏡の操作部の各種操作を行う手技が一般的である。
【０００５】
また、体腔内の処置対象部位の処置を行う際は、術者は、右手を一旦挿入部から離した後、右手で処置具を把持して、操作部に設けられた処置具挿通口を介して処置具挿通路に処置具を挿入し、該処置具を挿入部の先端に形成された処置具挿通路の先端開口から被検体内に突出させて各種処置を行う手技が一般的である。
【０００６】
ここで、体腔内の処置対象部位に対して処置具を用いて各種処置を行う際、適切な処置を行うためには、術者は内視鏡画像を観察しながら処置対象部位に対して挿入部の先端位置及び処置具の先端位置を微調整する必要が生じる。
【０００７】
ところが、上述したように、術者は、右手で挿入部の各種操作と処置具の各種操作とを選択的に行うことから、処置対象部位に対する挿入部の先端位置及び処置具の先端位置の微調整を同時に行うことが難しいといった問題があった。
【０００８】
また、上述したように、術者は、右手で行う処置具の各種操作を挿入部から右手を離して行わなければならないため、処置対象部位に対する処置具の先端位置の微調整を行っていると、処置対象部位に対する挿入部の先端位置がずれてしまうといった問題もあった。
【０００９】
このような問題に鑑み、特許文献１には、操作部に設けられた処置具挿通口に他端が挿入自在な筒状の処置具案内部と、該処置具案内部の一端に設けられるとともに挿入部の被検体外に位置する部位に取り付けられる、処置具を保持し術者が内視鏡の挿入部とともに把持できる構成の処置具保持部とを具備した、処置具を被検体内に挿入させる処置具挿通具が開示されている。
【００１０】
特許文献１に開示された処置具挿通具においては、処置具保持部が挿入部の被検体外に位置する部位に取り付けられ、処置具案内部の他端が処置具挿通口に挿入された状態において、処置具が処置具保持部の挿通口、処置具案内部を介して処置具挿通路に挿入される。その後、挿入部先端の先端開口から被検体内に処置具が突出された状態において、術者は、右手で挿入部を把持したまま右手で処置具保持部に設けられたスライダ等の処置具操作部を用いて処置具の位置調整を行う。このことから、術者は、右手のみで処置対象部位に対する挿入部の先端位置及び処置具の先端位置の微調整を同時に行うことができる。
【先行技術文献】
【特許文献】
【００１１】
【特許文献１】国際出願公開ＷＯ２０１３／０６５５０９号公報
【発明の概要】
【発明が解決しようとする課題】
【００１２】
ここで、特許文献１に開示された処置具挿通具においては、挿入部の延在方向に沿った処置具挿通路における処置具の移動方向と、処置具操作部の移動方向とを一致させるため、処置具案内部の一端は、挿入部に装着された処置具保持部に対して、挿入部の挿入方向（以下、前方と称す）における側（以下、処置具保持部の先端側と称す）に接続されている。即ち、処置具保持部の挿通口に対して、処置具は、前方とは反対方向（以下、後方と称す）側から前方に向かって挿通される。
【００１３】
よって、処置具保持部の先端側に処置具案内部の一端が接続された構成においては、処置具案内部の他端が挿入された処置具挿通口は処置具保持部よりも後方に位置しているため、処置具案内部を長く形成せざるを得ず、大きなループ形状が出来てしまうばかりか、処置具案内部の取り回しが悪いといった問題があった。
【００１４】
このような問題に鑑み、処置具案内部の一端を処置具保持部における後方側（以下、処置具保持部の基端側と称す）に接続し、処置具案内部を短くするとともに、処置具案内部を挿入部に沿わせて配置させることにより、処置具案内部の取り回しを向上させる構成も考えられる。
【００１５】
しかしながら、特許文献１に開示された処置具挿通具においては、処置具案内部の他端は、単に処置具挿通口内に挿入されているだけの構成のため、挿入後、処置具案内部の他端は回動してしまう。
【００１６】
これに加え、処置具案内部が柔軟なチューブ等から構成されている場合、処置具案内部は曲がり癖を有している。このことから、処置具案内部の他端が回動してしまうと、挿入部の外周における処置具案内部の位置（以下、挿入部に対する処置具案内部の回動方向の向きと称す）を一意に決定して処置具案内部を挿入部に沿って配置することが難しくなってしまう。よって、処置具操作部の操作性が低下してしまうといった問題があった。
【００１７】
尚、以上の問題は、処置具挿通口を有する処置具挿通口金に処置具案内部の他端に設けられた口金形状を有する装着部を装着する構成においても同様である。
【００１８】
これは、仮に処置具挿通口金に装着部を装着固定する構成であっても、処置具挿通口金に対する回動方向における装着部の固定方向が一意に規定できない場合、適切な方向に装着部を固定しないと、挿入部に対する処置具案内部の回動方向の向きを規定することが難しくなってしまうためである。
【００１９】
本発明は、上記問題点に鑑みなされたものであり、処置具案内部を挿入機器の挿入部に沿って回動方向を一意に規定して配置できることにより、処置具操作部の操作性が向上された処置具挿通具を提供することを目的とする。
【課題を解決するための手段】
【００２０】
上記目的を達成するため本発明の一態様における処置具挿通具は、被検体内に挿入される挿入機器の挿入部に沿って設けられ、前記挿入機器に設けられる処置具挿通口金の処置具挿通口から、前記挿入部を介して前記被検体内に挿入させる処置具挿通具であって、前記処置具を、前記処置具挿通口に導く処置具案内部と、前記挿入部に取り付けられるとともに、前記処置具案内部の一端に設けられた、前記処置具を保持する処置具保持部と、前記処置具保持部に対して前記挿入部の延在方向に沿って移動自在に設けられた処置具操作部と、前記処置具挿通口の中心に対して非点対称な平面形状を有する前記処置具挿通口金の端面の形状に対して、外周が対応する形状の孔が形成されるとともに、前記孔が前記処置具挿通口金に係脱自在な、前記処置具案内部の他端に設けられる装着部と、を具備する。
【発明の効果】
【００２１】
本発明によれば、処置具案内部を挿入機器の挿入部に沿って回動方向を一意に規定して配置できることにより、処置具操作部の操作性が向上された処置具挿通具を提供することができる。
【図面の簡単な説明】
【００２２】
【図１】本実施の形態の処置具挿通具を内視鏡とともに示す図
【図２】図１の挿入部に対して処置具案内部を取り付ける接続部を概略的に示す図
【図３】図１の処置具挿通具の装着口金が取り外された処置具挿通口金を、内視鏡の操作部とともに概略的に示す部分斜視図
【図４】図１の装着口金の処置具挿通口側の係合面を示す平面図
【図５】図４の係合面に形成される孔の形状の変形例を示す係合面の平面図
【図６】図１の装着口金の外表面に指標が設けられた変形例を、チューブの一部とともに概略的に示す図
【図７】図３の処置具挿通口金の端面形状の変形例を示す平面図
【図８】図４の装着口金の係合面の孔形状の変形例を示す平面図
【図９】図３の処置具挿通口金の端面形状の図７とは異なる変形例を示す平面図
【図１０】図４の装着口金の係合面の孔形状の図８とは異なる変形例を示す平面図
【図１１】図３の処置具挿通口金の端面形状の図７、図９とは異なる変形例を示す平面図
【図１２】図４の装着口金の係合面の孔形状の図８、図１０とは異なる変形例を示す平面図
【図１３】図３の処置具挿通口金の端面形状の図７、図９、図１１とは異なる変形例を示す平面図
【図１４】図４の装着口金の係合面の孔形状の図８、図１０、図１２とは異なる変形例を示す平面図
【図１５】図３の処置具挿通口金の端面形状の図７、図９、図１１、図１３とは異なる変形例を示す平面図
【図１６】図４の装着口金の係合面の孔形状の図８、図１０、図１２、図１４とは異なる変形例を示す平面図
【図１７】図３の処置具挿通口金の端面の平面形状が円形に形成された変形例を、内視鏡の操作部とともに概略的に示す部分斜視図
【図１８】図１７の操作部の張り出し部位に、固定具が装着された状態を、内視鏡の操作部とともに概略的に示す部分斜視図
【図１９】図１８中のXIX線で囲った部位を拡大して示す部分斜視図
【図２０】図１９の固定具を、図１９中のIIX方向からみた平面図
【図２１】図１８の固定具の変形例を、内視鏡の操作部とともに概略的に示す部分斜視図
【図２２】図２１の固定具を、チューブの他端側ととともに図２１中のIIXII方向からみた側面図
【図２３】図１７の処置具挿通口金に、アダプタが装着された変形例を、内視鏡の操作部とともに概略的に示す部分斜視図
【図２４】図２３のアダプタを拡大して示す斜視図
【発明を実施するための形態】
【００２３】
以下、図面を参照して本発明の実施の形態を説明する。尚、以下に示す実施の形態において、挿入機器は、内視鏡を例に挙げて説明する。
【００２４】
図１は、本実施の形態の処置具挿通具を内視鏡とともに示す図、図２は、図１の挿入部に対して処置具案内部を取り付ける接続部を概略的に示す図である。
【００２５】
図１に示すように、挿入機器である内視鏡１は、被検体内に挿入される挿入部２と、該挿入部２の延在方向Ｅの基端側（以下、単に基端側と称す）に連設された操作部３と、該操作部３から延出されたユニバーサルコード８と、該ユニバーサルコード８の延出端に設けられたコネクタ９とを具備して主要部が構成されている。尚、コネクタ９を介して、内視鏡１は、制御装置や照明装置等の外部装置と電気的に接続される。
【００２６】
操作部３に、挿入部２の湾曲部２ｗを上下方向に湾曲させる上下用湾曲操作ノブ４と、湾曲部２ｗを左右方向に湾曲させる左右用湾曲操作ノブ６とが設けられている。
【００２７】
さらに、操作部３に、上下用湾曲操作ノブ４の回動位置を固定する固定レバー５と、左右用湾曲操作ノブ６の回動位置を固定する固定ノブ７とが設けられている。また、操作部３には、既知の各種操作スイッチ等が設けられている。
【００２８】
尚、操作部３に設けられた各種ノブ４、６、７、レバー５、各種スイッチ等は、例えば術者の左手によって操作される。
【００２９】
挿入部２は、延在方向Ｅの先端側（以下、単に先端側と称す）から順に、先端部２ｓと湾曲部２ｗと可撓管部２ｋとを具備して構成されており細長に形成されている。尚、挿入部２は、例えば術者の右手によって操作される。
【００３０】
尚、上述とは反対に、挿入部２の各種操作が術者の左手で行われ、操作部３の各種操作が術者の右手で行われても構わない。
【００３１】
湾曲部２ｗは、上下用湾曲操作ノブ４や左右用湾曲操作ノブ６の回動操作により、例えば上下左右の４方向に湾曲されることにより、先端部２ｓ内に設けられた図示しない撮像ユニットの観察方向を可変したり、被検体内における先端部２ｓの挿入性を向上させたりするものである。さらに、可撓管部２ｋは、湾曲部２ｗの基端側に連設されている。
【００３２】
また、挿入部２及び操作部３内には、処置具挿通路１０が設けられている。処置具挿通路１０は、一端が先端部２ｓの先端面に先端開口１０ａとして開口されている。また、他端が操作部３に設けられた張り出し部位３ｔにおいて、該張り出し部位３ｔから突出する処置具挿通口金４０における端面４０ｔ（いずれも図３参照）において処置具挿通口１０ｂとして開口されている。
【００３３】
尚、その他の内視鏡１の構成は、一般的な内視鏡の構成と同じであるため、その詳しい説明は省略する。
【００３４】
処置具挿通具２０は、挿入部２に取り付けられ、被検体内を処置する処置具３１を処置具挿通口１０ｂから処置具挿通路１０を介して被検体内へと挿入させるものである。
【００３５】
尚、本実施の形態においては、処置具が１本の場合を例に挙げて示しているが、処置具挿通具２０は、複数本や複数種類の処置具を選択的に被検体内へと挿入するものであっても構わない。
【００３６】
処置具挿通具２０は、処置具案内部であるチューブ２１と、処置具を保持するための処置具保持部２２と、処置具操作部２３と、装着部である装着口金２４とを具備して主要部が構成されている。
【００３７】
チューブ２１は、処置具３１を処置具挿通口１０ｂに導く筒状部材であり、例えばテフロン（登録商標）等の樹脂から構成されている。
【００３８】
具体的には、チューブ２１は、他端２１ｂに処置具挿通口金４０（図３参照）に着脱自在な装着口金２４が設けられるとともに、一端２１ａが処置具保持部２２の基端側に接続されている。
【００３９】
チューブ２１は、装着口金２４が処置具挿通口金４０（図３参照）に装着された後、処置具保持部２２内からチューブ２１内に挿入された処置具３１を、処置具挿通口１０ｂ、処置具挿通路１０を介して先端開口１０ａから被検体内に突出させて被検体内に案内するものである。
【００４０】
尚、図２に示すように、チューブ２１は、挿入部２に沿って処置具保持部２２から延出するよう、即ち、挿入部２に沿って位置するよう、接続部３０により、挿入部２の可撓管部２ｋに取り付けられていても構わない。
【００４１】
その結果、チューブ２１が挿入部２から離間して弛んでしまうことが防がれる。尚、この場合、接続部３０は、挿入部２に対し、延在方向Ｅに移動自在に取り付けられている。
【００４２】
また、図１に示すように、チューブ２１の他端２１ｂ側に、略１８０°折り曲げられた折り曲げ部２１ｍが予め形成されていても構わない。
【００４３】
このことによれば、装着口金２４が処置具挿通口金４０（図３参照）に装着された後、折り曲げ部２１ｍにより、チューブ２１を挿入部２の可撓管部２ｋに沿って可撓管部２ｋにおける回動方向の位置を一意に規定して容易に沿わすことが可能となる。
【００４４】
処置具保持部２２は、チューブ２１の一端２１ａ側に設けられている。また、処置具保持部２２は、挿入部２が被検体内に挿入された際、挿入部２の可撓管部２ｋにおける被検体外に位置する、例えば図１に示した部位２ｚに設けられる。
【００４５】
尚、処置具保持部２２は、部位２ｚに対して着脱自在になるよう、挿入部２に沿って（挿入部２に隣接して）設けられる。
この構成により、術者は挿入部２とともに処置具保持部２２を把持できるようになっている。また、処置具保持部２２は、被検体外に位置する部位２ｚに装着された後は、部位２ｚから脱落することがないよう構成されている。
【００４６】
さらに、処置具保持部２２は、内部にチューブ２１内に連通し、処置具３１が通過するとともに処置具操作部２３の一部が位置する空間を有し、該空間の先端が空間への処置具３１の挿通口２２ｐを構成している。
【００４７】
即ち、挿通口２２ｐは、挿入部２に処置具保持部２２が取り付けられている状態においては、延在方向Ｅにおける挿入部２の被検体への挿入方向となる前方Ｅ１を指向している。
【００４８】
処置具操作部２３は、処置具保持部２２に対して延在方向Ｅに沿って移動自在に設けられており、一部が処置具保持部２２内において延在方向Ｅに沿って移動自在となっている。
【００４９】
即ち、処置具操作部２３は、処置具保持部２２内から該処置具保持部２２に設けられた図示しないスリットを介して延出された部位が術者によって把持された状態において、術者により延在方向Ｅに移動自在となるよう構成されている。
【００５０】
尚、処置具操作部２３が延在方向Ｅの前方Ｅ１及び後方Ｅ２（以下、前後と称す）に移動自在なことにより、処置具保持部２２内に設けられた既知の構成により、チューブ２１が延在方向Ｅの前後に移動自在となっている。
【００５１】
よって、術者は、図１に示すように、処置具３１の先端３１ｓが、先端開口１０ａから被検体内に突出されている状態において、内視鏡画像を観察しながら、例えば右手で挿入部２を把持した状態で、延在方向Ｅに沿って右手で処置具操作部２３を延在方向Ｅの前後に移動させることにより、被検体内に突出された処置具３１の先端側の位置を微調整することができる。
【００５２】
さらに、同時に、術者は、内視鏡画像を観察しながら、右手で挿入部２の先端部２ｓの先端の位置を微調整することができる。
【００５３】
装着口金２４は、例えば略円柱状の外形を有するとともに、チューブ２１の他端２１ｂに設けられており、上述したように処置具挿通口金４０（図３参照）に対して着脱自在である。装着口金２４を処置具挿通口金４０に装着すると、チューブ２１内と処置具挿通口１０ｂとが連通する。
【００５４】
次に、処置具挿通口金４０の端面４０ｔの形状及び装着口金２４の構成について、図３〜図６を用いて説明する。
【００５５】
図３は、図１の処置具挿通具の装着口金が取り外された処置具挿通口金を、内視鏡の操作部とともに概略的に示す部分斜視図、図４は、図１の装着口金の処置具挿通口側の係合面を示す平面図である。
【００５６】
また、図５は、図４の係合面に形成される孔の形状の変形例を示す係合面の平面図、図６は、図１の装着口金の外表面に指標が設けられた変形例を、チューブの一部とともに概略的に示す図である。
【００５７】
図３に示すように、処置具挿通口金４０は、操作部３の張り出し部位３ｔの上面３ｔｊから突出するよう張り出し部位３ｔに設けられており、端面４０ｔに、処置具挿通口１０ｂが開口されている。
【００５８】
また、端面４０ｔは、該端面４０ｔの中心に対して非点対称な平面形状、例えば円形の外周に径方向Ｋの外側に突出する凸部４０ｄが設けられた平面形状に形成されている。
【００５９】
図４に示すように、装着口金２４は、処置具挿通口１０ｂの中心に対して非点対称な平面形状を有する処置具挿通口金４０の端面４０ｔの形状に対して、外周が対応する形状の孔２８が形成されている。
より具体的には、装着口金２４は、処置具挿通口１０ｂ側の係合面２４ｔに、該係合面２４ｔの中心２４ｃに対して非対称な平面形状を有するとともに端面４０ｔの形状に外周が対応した形状を有する孔２８が形成されている。
【００６０】
尚、孔２８における端面４０ｔの形状に外周が対応した形状とは、孔２８の外周形状及び外周の大きさが、端面４０ｔの外周形状及び外周の大きさに一致するまたは略一致する形状のことである。
【００６１】
例えば、孔２８は、上述したように端面４０ｔが円形の外周に径方向Ｋの外側に突出する凸部４０ｄが設けられた平面形状に形成されている場合は、図４に示すように凸部４０ｄに外周が対応した平面形状、具体的には、円形の外周に外側に突出する凸部２８ｄが設けられた平面形状を有している。
【００６２】
即ち、係合面２４ｔにおいて、端面４０ｔの外周が嵌合する平面形状に孔２８は形成されている。
【００６３】
孔２８は、装着口金２４の処置具挿通口金４０に対する着脱に伴い、処置具挿通口金４０に係脱自在となっている。
【００６４】
尚、孔２８が非点対称形状に形成されているのは、仮に孔２８が点対称形状に形成されている場合、処置具挿通口金４０に対して孔２８を回動方向において１８０°反対側に係止できてしまう他、処置具挿通口金４０に対して孔２８が係止された後回動してしまうことを防ぐためである。
【００６５】
また、図５に示すように、孔２８は、凸部４０ｄに外周が対応した平面形状であれば、スリット２８ｓを有する形状であっても構わない。
【００６６】
また、図６に示すように、処置具挿通口金４０に対する装着口金２４の回動方向における装着方向を術者が容易に認識することができるよう、装着口金２４の外表面に、凸部４０ｄの方向を示す指標９０が形成されていても構わない。
【００６７】
尚、その他の処置具挿通具２０の構成は、従来と同じであるため、その説明は省略する。
【００６８】
このように、本実施の形態においては、処置具挿通口金４０に着脱自在な処置具挿通具２０のチューブ２１の他端２１ｂに設けられた装着口金２４において、係合面２４ｔに、該係合面２４ｔの中心２４ｃに対して非点対称な平面形状を有するとともに端面４０ｔの形状に外周が対応した形状の孔２８が形成されていると示した。
【００６９】
このことによれば、処置具挿通口金４０に孔２８を係止させた後、処置具挿通口金４０に対して装着口金２４が回動してしまうことが、凸部２８ｄに対する凸部４０ｄの係合により防がれる。
【００７０】
よって、処置具挿通口金４０に対する装着口金２４の回動方向の位置を一意に規定することができることから、処置具挿通口金４０に装着口金２４を装着した後の、挿入部２に対するチューブ２１の回動方向の位置を一意に規定することができる。
【００７１】
以上から、チューブ２１を挿入部２に沿って回動方向を一意に規定して配置できることにより、処置具操作部２３の操作性が向上された処置具挿通具２０を提供することができる。
【００７２】
尚、以下、変形例を、図７、図８を用いて示す。図７は、図３の処置具挿通口金の端面形状の変形例を示す平面図、図８は、図４の装着口金の係合面の孔形状の変形例を示す平面図である。
【００７３】
上述した本実施の形態においては、孔２８は、係合面２４ｔにおいて、該係合面２４ｔの中心２４ｃに対して非点対称な平面形状を有するとともに端面４０ｔの形状に外周が対応した形状を有していると示した。
【００７４】
具体的には、孔２８は、図３に示したように端面４０ｔが円形の外周に外側に突出する凸部４０ｄが設けられた平面形状に形成されている場合は、図４に示すように凸部４０ｄに外周が対応した平面形状、具体的には、円形の外周に外側に突出する凸部２８ｄが設けられた平面形状を有していると示した。
【００７５】
これに限らず、孔２８は、係合面２４ｔにおいて、該係合面２４ｔの中心２４ｃに対して非点対称な平面形状を有するとともに端面４０ｔの形状に外周が対応した形状を有していれば、図７に示すように端面４０ｔが円形の外周に径方向Ｋの内側に陥没する凹部４０ｂが設けられた平面形状に形成されている場合は、図８に示すように、凹部４０ｂに外周が対応した平面形状、具体的には、円形の外周に内側に陥没する凹部２８ｂが設けられた平面形状に形成されていても構わない。
【００７６】
このような孔２８の形状によっても、上述した本実施の形態と同様の効果を得ることができる。
【００７７】
また、以下、別の変形例を、図９、図１０を用いて示す。図９は、図３の処置具挿通口金の端面形状の図７とは異なる変形例を示す平面図、図１０は、図４の装着口金の係合面の孔形状の図８とは異なる変形例を示す平面図である。
【００７８】
さらに、孔２８は、係合面２４ｔにおいて、該係合面２４ｔの中心２４ｃに対して非点対称な平面形状を有するとともに端面４０ｔの形状に外周が対応した形状を有していれば、図９に示すように端面４０ｔが非円弧形状を１箇所のみ有する第１の部分４０ｈと、円弧形状を有する第２の部分４０ｅとを有する平面形状に形成されている場合は、図１０に示すように、第１の部分４０ｈ及び第２の部分４０ｅに外周が対応した平面形状、具体的には、非円弧形状を１箇所のみ有する第１の部分２８ｈと円弧形状を有する第２の部分２８ｅとを有する平面形状に形成されていても構わない。
【００７９】
このような孔２８の形状によっても、上述した本実施の形態と同様の効果を得ることができる。
【００８０】
さらに、以下、別の変形例を、図１１、図１２を用いて示す。図１１は、図３の処置具挿通口金の端面形状の図７、図９とは異なる変形例を示す平面図、図１２は、図４の装着口金の係合面の孔形状の図８、図１０とは異なる変形例を示す平面図である。
【００８１】
さらに、孔２８は、係合面２４ｔにおいて、該係合面２４ｔの中心２４ｃに対して非点対称な平面形状を有するとともに端面４０ｔの形状に外周が対応した形状を有していれば、図１１に示すように端面４０ｔが矩形部４０ｋと円形部４０ｃとを有する平面形状に形成されている場合は、図１２に示すように、矩形部４０ｋ及び円形部４０ｃに外周が対応した平面形状、具体的には、矩形部２８ｋ及び円形部２８ｃを有する平面形状に形成されていても構わない。
【００８２】
このような孔２８の形状によっても、上述した本実施の形態と同様の効果を得ることができる。
【００８３】
また、以下、別の変形例を、図１３、図１４を用いて示す。図１３は、図３の処置具挿通口金の端面形状の図７、図９、図１１とは異なる変形例を示す平面図、図１４は、図４の装着口金の係合面の孔形状の図８、図１０、図１２とは異なる変形例を示す平面図である。
【００８４】
さらに、孔２８は、係合面２４ｔにおいて、該係合面２４ｔの中心２４ｃに対して非点対称な平面形状を有するとともに端面４０ｔの形状に外周が対応した形状を有していれば、図１３に示すように端面４０ｔが矩形部４０ｋと円形部４０ｃと連結部４０ｒとを有する平面形状に形成されている場合は、図１４に示すように、矩形部４０ｋ、円形部４０ｃ及び連結部４０ｒに外周が対応した平面形状、具体的には、矩形部２８ｋ、円形部２８ｃ及び連結部２８ｒを有する平面形状に形成されていても構わない。
【００８５】
このような孔２８の形状によっても、上述した本実施の形態と同様の効果を得ることができる。
【００８６】
さらに、以下、別の変形例を、図１５、図１６を用いて示す。図１５は、図３の処置具挿通口金の端面形状の図７、図９、図１１、図１３とは異なる変形例を示す平面図、図１６は、図４の装着口金の係合面の孔形状の図８、図１０、図１２、図１４とは異なる変形例を示す平面図である。
【００８７】
さらに、孔２８は、係合面２４ｔにおいて、該係合面２４ｔの中心２４ｃに対して非点対称な平面形状を有するとともに端面４０ｔの形状に外周が対応した形状を有していれば、図１５に示すように端面４０ｔが円形部４０ｃと該円形部４０ｃから径方向Ｋの外側に三角状に突出する三角部４０ｓとを有する平面形状に形成されている場合は、図１６に示すように、円形部４０ｃ及び三角部４０ｓに外周が対応した平面形状、具体的には、円形部２８ｃと該円形部２８ｃから径方向Ｋの外側に三角状に突出する三角部２８ｎとを有する平面形状に形成されていても構わない。
【００８８】
このような孔２８の形状によっても、上述した本実施の形態と同様の効果を得ることができる。
【００８９】
尚、以上、例示した図４、図５、図８、図１０、図１２、図１４、図１６に示した形状に限らず、孔２８は、係合面２４ｔにおいて、該係合面２４ｔの中心２４ｃに対して非点対称な平面形状を有するとともに端面４０ｔの形状に外周が対応した形状を有していれば、どのような形状であっても構わないことは勿論である。
【００９０】
また、以下、別の変形例を、図１７〜図２０を用いて示す。図１７は、図３の処置具挿通口金の端面の平面形状が円形に形成された変形例を、内視鏡の操作部とともに概略的に示す部分斜視図、図１８は、図１７の操作部の張り出し部位に、固定具が装着された状態を、内視鏡の操作部とともに概略的に示す部分斜視図、図１９は、図１８中のXIX線で囲った部位を拡大して示す部分斜視図、図２０は、図１９の固定具を、図１９中のIIX方向からみた平面図である。
【００９１】
上述した本実施の形態においては、図３に示すように、処置具挿通口金４０の端面４０ｔは、該端面４０ｔの中心に対して非点対称な平面形状、例えば円形の外周に径方向Ｋの外側に突出する凸部４０ｄが設けられた平面形状に形成されていると示した。
【００９２】
しかしながら、通常、内視鏡においては、処置具挿通口金４０’の端面４０ｔ’は、図１７に示すように、円形または端面４０ｔ’の中心に対して点対称形状の外周を有する平面形状に形成されているのが一般的である。
【００９３】
よって、端面４０ｔ’が円形の平面形状に形成されている場合においても、処置具挿通口金４０’に装着口金２４を装着した後、処置具挿通口金４０’に対する装着口金２４の回動方向の位置を一意的に規定することができる構成が望まれていた。
【００９４】
そこで、図１８、図１９に示すよう、チューブ２１の他端２１ｂに設けられた装着口金２４’に、外形が下向きコの字状に形成された固定具５０が設けられていてもよい。尚、固定具５０としては、既知のクリップ状の挟持部材が挙げられる。
【００９５】
また、本変形例においては、図２０に示すように、装着口金２４’の孔２８’の外周の平面形状は、端面４０ｔ’の形状に外周が対応した形状となるよう円形を有している。尚、端面４０ｔ’に外周が対応した孔２８’の形状の定義は、孔２８において説明した定義と同じである。
【００９６】
固定具５０は、該固定具５０のコの字型の内部５０ｉに操作部３の張り出し部位３ｔの上面３ｔｊ側の一部が嵌入されることにより、即ち、張り出し部位３ｔの上面３ｔｊ側に嵌合、固定されることにより、装着口金２４’が処置具挿通口金４０’に装着される構成を有している。
【００９７】
また、図１９、図２０に示すように、固定具５０における張り出し部位３ｔの上面３ｔｊに対向する面、即ち、張り出し部位３ｔに嵌合後、上面３ｔｊに当接する面５０ｔに、上面の両側部のテーパ部３ｔｐに嵌合するテーパ部５０ｐが形成されている。
【００９８】
このことにより、張り出し部位３ｔに対して固定具５０の固定方向は、テーパ部３ｔｐに対するテーパ部５０ｐの嵌合により一意に規定される。
【００９９】
よって、張り出し部位３ｔに対して、固定具５０が回動方向において１８０°反対に嵌合されたり、回動されたりしてしまうことが防止されている。即ち、処置具挿通口金４０’に対して装着口金２４が回動方向において１８０°反対に装着されたり、回動されたりしてしまうことが防止されている。
【０１００】
尚、その他の構成は、上述した本実施の形態と同じである。
【０１０１】
このような構成によれば、処置具挿通口金４０’の端面４０ｔ’の外周の平面形状が一般的な円形を有していたとしても上述した本実施の形態と同様の効果を得ることができる。
【０１０２】
また、上述した本実施の形態のように、端面４０ｔが該端面４０ｔの中心に対して非点対称な平面形状に形成された処置具挿通口金４０を具備する内視鏡１を、別途容易する必要がない。
【０１０３】
また、以下、別の変形例を、図２１、図２２を用いて示す。図２１は、図１８の固定具の変形例を、内視鏡の操作部とともに概略的に示す部分斜視図、図２２は、図２１の固定具を、チューブの他端側ととともに図２１中のIIXII方向からみた側面図である。
【０１０４】
図２１、図２２に示すよう、チューブ２１の他端２１ｂに設けられた固定具６０は、操作部３の張り出し部位３ｔ全体を覆う形状に形成されていても構わない。尚、固定具６０としては、キャップ状の部材が挙げられる。
【０１０５】
即ち、固定具６０は、該固定具６０の内部６０ｉに操作部３の張り出し部位３ｔの全体が嵌入されて張り出し部位３ｔに嵌合、固定されることにより、装着口金２４’が処置具挿通口金４０’に装着される構成を有している。このことにより、張り出し部位３ｔに対して固定具６０の固定方向は一意に規定される。
【０１０６】
よって、張り出し部位３ｔに対して、固定具６０が回動方向において１８０°反対に嵌合されたり、回動されたりしてしまうことが防止されている。即ち、処置具挿通口金４０’に対して装着口金２４’が回動方向において１８０°反対に装着されたり、回動されたりしてしまうことが防止されている。
【０１０７】
尚、その他の固定具の構成は、上述した図１７〜図２０と同じである。このような構成によっても、図１７〜図２０と同様の効果を得ることができる。
【０１０８】
さらに、以下、別の変形例を、図２３、図２４を用いて示す。図２３は、図１７の処置具挿通口金に、アダプタが装着された変形例を、内視鏡の操作部とともに概略的に示す部分斜視図、図２４は、図２３のアダプタを拡大して示す斜視図である。
【０１０９】
図２３に示すように、処置具挿通口金４０’に、アダプタ７０が着脱自在であっても構わない。
【０１１０】
アダプタ７０は、処置具挿通口金４０’側の端面７０ｉに、端面４０ｔ’の外周に対応した円形の平面形状を有する孔７２が形成されており、端面７０ｉとは反対側の端面７０ｔに、該端面７５ｔの中心７５ｃに対して非点対称な平面形状を有するとともに装着口金２４の孔２８に外周が対応した形状の端面７５ｔを有する他の処置具挿通口金７５が設けられている。
【０１１１】
尚、他の処置具挿通口金７５に、装着口金２４が装脱自在なことにより、孔２８が係脱自在となっている。
【０１１２】
また、端面７５ｔには、アダプタ７０内に設けられた連通路７３を通じて孔７２に連通するとともに、装着口金２４が他の処置具挿通口金７５に装着された際、チューブ２１に連通する孔７１が形成されている。
この実施形態において、装着口金２４を取り付ける回動方向を一意に規定するため、チューブ２１が動いたとしてもアダプタ７０自体が操作部に対して回転しないように取り付けられる必要がある。
そこで、操作部３（張り出し部位３ｔ）等に係合する例えば係止部７６のような部分を有することで、アダプタ７０が処置具挿通口金に対して回転することを防ぐようにしてもよい。
【０１１３】
このような構成によれば、処置具挿通口金４０’の端面４０ｔ’が円形の外周を有していたとしても、アダプタ７０を処置具挿通口金４０’に装着し、アダプタ７０の端面７５ｔに装着口金２４を装着すれば、回動方向における装着口金２４’の位置を一意に規定することができるため、上述した本実施の形態や、図１７〜図２４に示す構成と同様の効果を得ることができる。
【０１１４】
尚、上述した本実施の形態においては、挿入機器は、内視鏡１を例に挙げて示したが、これに限らず、他の被検体内に処置具とともに挿入される挿入機器にも適用可能であることは云うまでもない。
【符号の説明】
【０１１５】
１…内視鏡（挿入機器）
２…挿入部
２ｚ…挿入部の被検体外に位置する部位
１０ｂ…処置具挿通口
２０…処置具挿通具
２１…チューブ（処置具案内部）
２１ａ…チューブの一端
２１ｂ…チューブの他端
２２…処置具保持部
２３…処置具操作部
２４…装着口金（装着部）
２４ｃ…係合面の中心
２４ｔ…係合面
２８…孔
３０…接続部
３１…処置具
４０…処置具挿通口金
４０ｂ…凹部
４０ｄ…凸部
４０ｅ…第２の部分
４０ｈ…第１の部分
４０ｔ…処置具挿通口金の端面
７０…アダプタ
７１…処置具挿通口金
７５ｃ…アダプタの端面の中心
７５ｔ…アダプタの端面
Ｋ…径方向
【図１】
2017189458.tif 000003
【図２】
2017189458.tif 000004
【図３】
2017189458.tif 000005
【図４】
2017189458.tif 000006
【図５】
2017189458.tif 000007
【図６】
2017189458.tif 000008
【図７】
2017189458.tif 000009
【図８】
2017189458.tif 000010
【図９】
2017189458.tif 000011
【図１０】
2017189458.tif 000012
【図１１】
2017189458.tif 000013
【図１２】
2017189458.tif 000014
【図１３】
2017189458.tif 000015
【図１４】
2017189458.tif 000016
【図１５】
2017189458.tif 000017
【図１６】
2017189458.tif 000018
【図１７】
2017189458.tif 000019
【図１８】
2017189458.tif 000020
【図１９】
2017189458.tif 000021
【図２０】
2017189458.tif 000022
【図２１】
2017189458.tif 000023
【図２２】
2017189458.tif 000024
【図２３】
2017189458.tif 000025
【図２４】
2017189458.tif 000026